(57)【要約】      （修正有）【課題】特別な装置を所有・携帯することなく導入容易かつ使用方法も簡単であり、意識を失った傷病者との遭遇という危急の場面でも適切に使用することのできる、救命処置技術を提供する。【解決手段】救命処置用手袋１０は、手袋本体（本体）２Ｌ、２Ｒ一対と、少なくとも一方の本体２Ｌ等の手の甲側１Ｌ等に設けられた救命処置手順表示部（手順表示部）３Ｌ等とからなり、手順表示部３Ｌ等には心肺蘇生法の手順が示されている構成とする。また、少なくとも一方の本体２Ｌ等の手のひら側等付け根に、その箇所が心臓マッサージを施す際の圧迫に用いられる箇所であることを示す圧迫用表示部等を設けた構成とする。【選択図】図１
2019080910.tif 000002
【特許請求の範囲】
【請求項１】
手袋本体（以下、「本体」という。）一対と、少なくとも一方の該本体の手の甲側に設けられた救命処置手順表示部（以下、「手順表示部」という。）とからなり、該手順表示部には心肺蘇生法の手順が示されていることを特徴とする、救命処置用手袋。
【請求項２】
少なくとも一方の前記本体の手のひら側付け根には、その箇所が心臓マッサージを施す際の圧迫に用いられる箇所であることを示す圧迫用表示部が設けられていることを特徴とする、請求項１に記載の救命処置用手袋。
【請求項３】
少なくとも前記圧迫用表示部には心臓マッサージを施す際に滑りにくくするための構造が用いられていることを特徴とする、請求項２に記載の救命処置用手袋。
【請求項４】
前記本体は五本指型であり、前記手順表示部は複数の指部にそれぞれ設けられた指上表示部を備えて構成されていることを特徴とする、請求項１ないし３のいずれかに記載の救命処置用手袋。
【請求項５】
前記指上表示部における表示を図により補足する図示表示部が備えられていることを特徴とする、請求項４に記載の救命処置用手袋。
【請求項６】
前記本体一対は、利き手側に用いる手袋（以下、「利き手側手袋」という。）と他方側に用いる手袋（以下、「反利き手側手袋」という。）からなり、前記指上表示部に記される各手順は、該反利き手側手袋の親指から小指方向に向かって順に配置され、必要な場合にはこれに続けて利き手側手袋の親指から小指方向に向かって、順に配置されていることを特徴とする、請求項４または５に記載の救命処置用手袋。
【請求項７】
前記指上表示部は十の指部全てに設けられていることを特徴とする、請求項６に記載の救命処置用手袋。
【請求項８】
前記本体の色としてオレンジ色、青色、または黄色のいずれかが用いられていることを特徴とする、請求項１ないし７のいずれかに記載の救命処置用手袋。
【請求項９】
請求項１ないし８のいずれかに記載の救命処置用手袋が所定の包装具に包装されてなることを特徴とする、救命処置用手袋パッケージ。
【請求項１０】
前記包装具は、開封後に人工呼吸用シートとして使用可能な仕様を備えていることを特徴とする、請求項９に記載の救命処置用手袋パッケージ。
【請求項１１】
前記包装具は、外側に前記救命処置用手袋の使用方法説明表示が、内側に前記人工呼吸用シートの使用方法説明表示が設けられていることを特徴とする、請求項１０に記載の救命処置用手袋パッケージ。
【請求項１２】
請求項１ないし８のいずれかに記載の救命処置用手袋を使用する方法であって、これを左右の手にはめ、前記手順表示部に示された心肺蘇生法の手順に従って使用することを特徴とする、救命処置用手袋使用方法。
【請求項１３】
請求項１０または１１に記載の救命処置用手袋パッケージを使用する方法であって、前記包装具を開封して収容されている前記救命処置用手袋を取出し、これを左右の手にはめ、前記手順表示部に示された心肺蘇生法の手順に従って使用し、必要に応じ該包装具を人工呼吸用シートとして用いることを特徴とする、救命処置用手袋パッケージ使用方法。
【請求項１４】
請求項１ないし８のいずれかに記載の救命処置用手袋が自動体外式除細動器（Ａｕｔｏｍａｔｅｄ  Ｅｘｔｅｒｎａｌ  Ｄｅｆｉｂｒｉｌｌａｔｏｒ  以下、「ＡＥＤ」という。）に付属していることを特徴とする、救命処置用手袋付きＡＥＤセット。
【発明の詳細な説明】
【技術分野】
【０００１】
本発明は救命処置用手袋、その使用方法、救命処置用手袋パッケージ、ならびにその使用方法、および救命処置用手袋付きＡＥＤセットに係り、特に、心肺蘇生等の必要な傷病者に遭遇した際に有用な技術に関するものである。
【背景技術】
【０００２】
突発的に発生する災害や事故等によって意識を失い、また心肺停止の状態になってしまった傷病者に遭遇することがあり得る。このような時、日頃救命処置の訓練を行う等、救命処置に一定の馴染みがある者であれば、比較的適切な対応を行うことが期待できる。しかし、一般的にそのように適切な技術・技能を準備できている者は少なく、かかる遭遇では不適切な対応や、全くの不対応となってしまい、傷病者の生命に関わる事態を招来する可能性が高い。このような危急の場面に際しても的確で冷静な判断を下し、落ち着いた救命処置行動をより多くの者が行えるようになることが望まれる。
【０００３】
危急の場面における救命処置に関連しては従来、現在設置が広く行われている自動体外式除細動器（Ａｕｔｏｍａｔｅｄ  Ｅｘｔｅｒｎａｌ  Ｄｅｆｉｂｒｉｌｌａｔｏｒ  ＡＥＤ）の他にも複数の特許出願等がなされている。たとえば後掲特許文献１には、救急救命処置器具等の機能を付加し、かつ携行資材の総量を減らしたインナーケースとして、展開可能なシート状のインナーケース本体にベルトとバックルを取り付け、インナーケース本体をもって患部等を覆い締め付けることで被覆・止血帯とし、また各種器具の固定具とすることができ、さらにベルト部に設けた棒状の巻取り具および巻取り具用スリットにより強力に締上げて緊迫止血帯としても利用できる構造が開示されている。
【０００４】
また特許文献２には、心肺蘇生術の訓練を受けた一般市民が普段から携帯することにより緊急事態が生じた際に容易に要救護者に適確な心肺蘇生術を実施可能とするための音声心肺蘇生指示装置として、名刺サイズの専用ハードカード内に音声指示手段を内蔵させて音声心肺蘇生指示装置が開示されている。そして、装置のスイッチボタンを押して音声指示手段を作動させ、心肺蘇生術の手順を音声で案内してもらい、音声の案内を助けに要救護者に心肺蘇生術を行うことで、非専門家の一般市民であっても心肺蘇生術の適確な実施が可能になる、としている。
【先行技術文献】
【特許文献】
【０００５】
【特許文献１】実用新案登録第３１７１７１２号公報「救急救命処置・手当具を兼ねるインナーケース」
【特許文献２】特開２００７−１３０１２０号公報「音声心肺蘇生指示装置」
【発明の概要】
【発明が解決しようとする課題】
【０００６】
しかし、特許文献１開示技術では、そもそもかかる救命処置用具使用の前提として相応の救命処置の知識・技能を備えていることが要求されるため、不慣れな一般市民が危急の場面で適切に対処することを十分に支援できない。一方、特許文献２開示技術は、音声ガイドにしたがって行えば適切な救命処置を行えるとしているが、意識を失った傷病者との遭遇という危急の場面では気が動転しており、適切に使用できないことが十分推測できる上、そもそもかかる特別な装置を所有・携帯していなくてはならない。
【０００７】
救急処置には、それを行う者がその意識、すなわち救命するという使命感・責任感を強く持てるか否かも重要であり、各文献開示技術を含め、そのような意識を持たせられるような技術、しかも導入容易・使用方法も容易な技術は、未だ存在しない。また、老若男女を問わず広く普及可能な救命処置技術が求められる。また、ＡＥＤが用いられる場合、その電気ショックにより心室細動していた心臓は静止状態となる。したがってＡＥＤ使用後は、速やかな胸骨圧迫等による救命処置を施すことによって心臓拍動の回復を促す必要があるため、ＡＥＤ設置箇所やＡＥＤ使用場面においてこそ、導入容易・使用方法も容易な救急処置技術が必要である。
【０００８】
そこで本発明が解決しようとする課題は、かかる従来技術の問題点を踏まえ、特別な装置を所有・携帯することなく導入容易かつ使用方法も簡単であり、意識を失った傷病者との遭遇という危急の場面でも適切に使用することのできる、救命処置技術を提供することである。また本発明の課題は、それによって救急処置行う意識、すなわち救命するという使命感・責任感を促すこと、高めることができ、危急の場面に実際に遭遇した場合でも救急車やＡＥＤが到着するまでに迷うことなく自信を持って適切な処置を施すことができるとともに、ＡＥＤ使用場面においても迷うことなく自信を持って適切な処置を施すことができる、救命処置技術を提供することである。
【０００９】
また本発明の課題は、救命処置法の講習会等でも用いやすく、習得しやすく、老若男女を問わず広く普及可能な救命処置技術を提供することである。また本発明の課題は、傷病者の第一発見者が適切な措置をとれる可能性を高めて、傷病者の生存率向上や、脳へのダメージを最小限に抑えることに寄与できる、救命処置用技術を提供することである。
【課題を解決するための手段】
【００１０】
本願発明者は上記課題について検討した結果、心肺蘇生法を施す際の作用部位である両手に装着して用い、しかもその表面には心肺蘇生法の手順が視覚的にわかりやすく表示されている手袋によって解決できることに想到し、これに基づいて本発明を完成するに至った。すなわち、上記課題を解決するための手段として本願で特許請求される発明、もしくは少なくとも開示される発明は、以下の通りである。
【００１１】
〔１〕  手袋本体（以下、単に「本体」ともいう。）一対と、少なくとも一方の該本体の手の甲側に設けられた救命処置手順表示部（以下、単に「手順表示部」ともいう。）とからなり、該手順表示部には心肺蘇生法の手順が示されていることを特徴とする、救命処置用手袋。
〔２〕  少なくとも一方の前記本体の手のひら側付け根には、その箇所が心臓マッサージを施す際の圧迫に用いられる箇所であることを示す圧迫用表示部が設けられていることを特徴とする、〔１〕に記載の救命処置用手袋。
〔３〕  少なくとも前記圧迫用表示部には心臓マッサージを施す際に滑りにくくするための構造が用いられていることを特徴とする、〔２〕に記載の救命処置用手袋。
〔４〕  前記本体は五本指型であり、前記手順表示部は複数の指部にそれぞれ設けられた指上表示部を備えて構成されていることを特徴とする、〔１〕ないし〔３〕のいずれかに記載の救命処置用手袋。
【００１２】
〔５〕  前記指上表示部における表示を図により補足する図示表示部が備えられていることを特徴とする、〔４〕に記載の救命処置用手袋。
〔６〕  前記本体一対は、利き手側に用いる手袋（以下、単に「利き手側手袋」ともいう。）と他方側に用いる手袋（以下、単に「反利き手側手袋」ともいう。）からなり、前記指上表示部に記される各手順は、該反利き手側手袋の親指から小指方向に向かって順に配置され、必要な場合にはこれに続けて利き手側手袋の親指から小指方向に向かって、順に配置されていることを特徴とする、〔４〕または〔５〕に記載の救命処置用手袋。
〔７〕  前記指上表示部は十の指部全てに設けられていることを特徴とする、〔６〕に記載の救命処置用手袋。
〔８〕  前記本体の色としてオレンジ色、青色、または黄色のいずれかが用いられていることを特徴とする、〔１〕ないし〔７〕のいずれかに記載の救命処置用手袋。
【００１３】
〔９〕  〔１〕ないし〔８〕のいずれかに記載の救命処置用手袋が所定の包装具に包装されてなることを特徴とする、救命処置用手袋パッケージ。
〔１０〕  前記包装具は、開封後に人工呼吸用シートとして使用可能な仕様を備えていることを特徴とする、〔９〕に記載の救命処置用手袋パッケージ。
〔１１〕  前記包装具は、外側に前記救命処置用手袋の使用方法説明表示が、内側に前記人工呼吸用シートの使用方法説明表示が設けられていることを特徴とする、〔１０〕に記載の救命処置用手袋パッケージ。
〔１２〕  〔１〕ないし〔８〕のいずれかに記載の救命処置用手袋を使用する方法であって、これを左右の手にはめ、前記手順表示部に示された心肺蘇生法の手順に従って使用することを特徴とする、救命処置用手袋使用方法。
〔１３〕  〔１０〕または〔１１〕に記載の救命処置用手袋パッケージを使用する方法であって、前記包装具を開封して収容されている前記救命処置用手袋を取出し、これを左右の手にはめ、前記手順表示部に示された心肺蘇生法の手順に従って使用し、必要に応じ該包装具を人工呼吸用シートとして用いることを特徴とする、救命処置用手袋パッケージ使用方法。
〔１４〕  〔１〕ないし〔８〕のいずれかに記載の救命処置用手袋が自動体外式除細動器（Ａｕｔｏｍａｔｅｄ  Ｅｘｔｅｒｎａｌ  Ｄｅｆｉｂｒｉｌｌａｔｏｒ  以下、「ＡＥＤ」という。）に付属していることを特徴とする、救命処置用手袋付きＡＥＤセット。
【発明の効果】
【００１４】
本発明の救命処置用手袋、その使用方法、救命処置用手袋パッケージ、ならびにその使用方法、および救命処置用手袋付きＡＥＤセットは上述のように構成されるため、これらによれば、意識を失った傷病者との遭遇という危急の場面でも適切に使用することのできる、救命処置技術を提供することができる。本発明は手袋およびその使用方法等であり、特別な装置を所有・携帯する必要がなく、導入容易で、使用方法も簡単である。なお、救急処置用意外にも通常の手袋としての機能を果たすことももちろん可能であり、救急処置に付随する各種作業を、より衛生的に行なうことができる。
【００１５】
また本発明の救命処置用手袋を所持すること、着用することによって、救急処置行う意識、すなわち救命するという使命感・責任感がより強く促され、意識を高めることができ、危急の場面に実際に遭遇した場合でも救急車やＡＥＤが到着するまでに迷うことなく自信を持って適切な処置を施すことができるとともに、ＡＥＤ使用場面においても迷うことなく自信を持って適切な処置を施すことができる。たとえば防災グッズや救急箱、アウトドア用品の一つとして常備・携帯したり、あるいはまた車両内（ダッシュボードなど）に常備したり、目につく場所に常備することによって、日頃から救命に対する個々の意識を高めることができ、ひいては必要な時、つまり突発的に起こり得る災害時、事故時、その他の生命の危険時に際し、的確で冷静な判断を下し、落ち着いた行動を促すことができ、適切な処置を行えるようにすることができる。
【００１６】
また本発明の救命処置用手袋は、使用方法が簡単で身近なものであることから、救命処置法の講習会等でも用いやすく、心肺蘇生法を予習する際により具体性のある学習を行なうことができ、したがって高い習得率も期待でき、老若男女を問わず実際的な技術として広く普及することができる。また、本発明救命処置用手袋が普及することにより、傷病者の第一発見者が適切な措置をとれる可能性が高まる。心臓疾患、突発的な事故、水難事故等、救急車やＡＥＤが到着するまでに適切な処置を行えるとともに、ＡＥＤ使用場面においても迷うことなく自信を持って適切な処置を施すことができ、傷病者の生存率向上や、脳へのダメージを最小限に抑えることに寄与することができる。
【００１７】
なお、特別な色を用いた本発明救命処置用手袋によれば、救急隊員等の専門家が到着した際、本手袋を装着している者が救命処置を実施中であり、かつそこに傷病者が存在することを即座に視認することができ、円滑な事後対応をなさしめることができる。さらに、救急隊員等到着前にも、周囲からの協力を得やすい。このように本発明には、さまざまな利点、効果がある。
【図面の簡単な説明】
【００１８】
【図１】本発明救命処置用手袋の基本構成を概念的に示す説明図である（手の甲側）。
【図２】本発明救命処置用手袋の基本構成を概念的に示す説明図である（手のひら側）。
【図３】指上表示部を備える構造の本発明救命処置用手袋の構成を概念的に示す説明図である。
【図４】本発明救命処置用手袋の実施例構成を概念的に示す説明図である（手の甲側）。
【図５】本発明救命処置用手袋の実施例構成を概念的に示す説明図である（手のひら側）。
【図６】本発明救命処置用手袋パッケージの構成を概念的に示す説明図である。
【図７】人工呼吸用シートを兼ねる構造の本発明救命処置用手袋パッケージの構成を概念的に示す説明図である。
【図８】本発明救命処置用手袋の別の実施例構成を概念的に示す説明図である（手の甲側）。
【図９】本発明救命処置用手袋付きＡＥＤセットの構成を概念的に示す説明図である。
【発明を実施するための形態】
【００１９】
以下、図面により本発明を詳細に説明する。
図１、２は、本発明救命処置用手袋の基本構成を概念的に示す説明図であり、前者は手の甲側、後者は手のひら側を示す。これらに図示する通り本発明救命処置用手袋１０は、手袋本体（本体）２Ｌ、２Ｒ一対と、少なくとも一方の本体２Ｌ等の手の甲側１Ｌ等に設けられた救命処置手順表示部（手順表示部）３Ｌ等とからなり、手順表示部３Ｌ等には心肺蘇生法の手順が示されていることを、基本的構成とする。手順表示部３Ｌ等は、基本的に文章表現によりなされている構成とするが、適宜図面や写真が併用されていてもよい。なお本救命処置用手袋１０は、練習用としての使用の有無に関わらず実際の使用を想定したものを主とするが、練習専用のものであっても発明の範囲内に含まれる。
【００２０】
手順表示部３Ｌ等は、シルクスクリーン、転写シート型その他の印刷によって設けることとしてもよいし、シートとして形成されたものが本体２Ｌ等に貼着された形態であっても、その他の方式により設けられたものであってもよい。要するに従来公知の方法によって、本体２Ｌ等上に固定されていればよい。なお、このことは、後述する圧迫用表示部、指上表示部、図示表示部等についても同様である。また、手順表示部３Ｌ等は、一方の本体２Ｌ等にのみ設けられている構成、両本体２Ｌ、２Ｒにそれぞれ手順表示部３Ｌ、３Ｒとして設けられている構成、いずれでもよい。
【００２１】
かかる構成の本発明救命処置用手袋１０は、意識を失っている傷病者に遭遇した際などの必要な時に使用者がこれを両手に装着し、少なくとも一方の本体２Ｌ等に設けられている手順表示部３Ｌ等に示された手順に従って、傷病者に対する心肺蘇生法を施す、というように用いる。手順表示部３Ｌ等には正しい心肺蘇生法の手順が示されているため、記載の手順通りに実行することで、正しい心臓マッサージを行なうことができる。
【００２２】
本発明救命処置用手袋１０の具体的な仕様は、特に限定されないが、実際に現場で使用するものとしては、薄手のものが望ましい。その方が、使用者自身の手による傷病者の身体の触覚的知覚をより繊細に得やすく、したがって救命処置効果を得られやすいからである。一方、練習専用の場合はより厚手のものでもよい。また、具体的な素材も特に限定されず、布製、ビニール製、その他適宜のものを用いることができる。他にも、不織布も本手袋１０用素材として適しており、また、使用する場面・状況によっては、防水性・耐油性が望ましいこともあるので、防水性の素材や耐油性の素材を用いること、あるいは防水加工、耐油加工が施されていることも、有用である。
【００２３】
図２に示すように本救命処置用手袋１０は、少なくとも一方の本体２Ｌ等の手のひら側５Ｌ等付け根には、その箇所が心臓マッサージを施す際の圧迫に用いられる箇所であることを示す圧迫用表示部４Ｌが設けられた構成とすることができる。かかる構成により、使用者は、自分の手のどの部分を傷病者の胸部に当てればよいかを明確に理解でき、適切な救命処置法を施すことができる。圧迫用表示部４Ｌ等の具体的な形態は特に限定されない。なお、一方の本体２L等のみに圧迫表示部５L等が設けられている構成も排除されないが、両本体２Ｌ、２Ｒにそれぞれ圧迫表示部４Ｌ、４Ｒとして設けられている構成が望ましい。少なくとも、直接傷病者の身体に触れる、つまり手を組んだ際に下側とする本体２Ｌ等側には設けられることとする。
【００２４】
また、少なくとも圧迫用表示部４Ｌ等には、心臓マッサージを施す際に滑りにくくするための構造が用いられている構成とすることができる。これにより、胸部圧迫用に重ねた手による圧迫動作を、滑りが生じることなく安定的に行うことができる。滑りにくくするための構造は、突起構造など滑り止め用の適宜の加工によって設けることができる。なお、滑りにくさは手のひら側５Ｌ等全体にあることが望ましく、したがって手のひら側５Ｌ全体に滑りにくくするための構造が設けられていることが望ましい。
【００２５】
図３は、指上表示部を備える構造の本発明救命処置用手袋の構成を概念的に示す説明図である。図示するように本救命処置用手袋３１０は、その本体３２Ｌ、３２Ｒが五本指型であり、手順表示部３３Ｌ、３３Ｒは複数の指部にそれぞれ設けられた指上表示部３６ａ、３６ｂ、・・・等を備えて構成されているものとすることができる。つまり、救命処置として心肺蘇生法を施す際には両手を訓で胸部圧迫処理を行うのだが、その際に下側となる手の甲側３１Ｌ等は、上側となる手の甲側３１Ｒ等が重なることによって見えなくなる。
【００２６】
その場合でも、本指上表示部３６ａ等によれば、両本体３２Ｌ、３２Ｒともに救命処置手順の表示が見えるように構成することができる。なお、上側とする本体３２Ｌ等では、両手を組んだ際に各指部が折り曲げられることで見えなくなる部位が先端よりに生じる。したがって、その側の指上表示部３６ｆ等は、手を組んだ状態でも問題なく表示が見えるように設けることが、より望ましい。
【００２７】
図では、指上表示部３６ａ等は左右全ての指部に、計十箇所設けられている構成を示すが、これに限らず、一部の指部上のみに設ける構成としても、また一方の本体の適宜数の指部上のみに設ける構成としてもよい。また、本図を含め全ての図面において、五本指型の手袋を示しているが、本発明はこれに限定されない。すなわち、親指を入れる袋体とその他全ての指を入れる袋体からなるミトン型の手袋など、手袋として機能する形態は全て排除されず、本発明の範囲内である。しかしながら、両手を組んで行うという心肺蘇生法の実施を的確に行うためには、五本指型とすることが大いに望ましい。したがって以下も、五本指型を主として説明する。
【００２８】
図３に示すように本救命処置用手袋３１０は、指上表示部３６ａ等における表示をより視覚的に理解しやすい図によって補足するための、図示表示部３７Ｌ等が備えられた構成とすることができる。本例構成は、指上表示部３６ａ等における文章での手順表示を図により補足するものである。指上表示部３６ａ等は、文字等による、特に一行による文章表現の表示には適しているが、その領域の細長さから、図の表示に適しているとはいえない。
【００２９】
図示するように、手の甲の部位に図示表示部３７Ｌ等を設ければよい。この場合、手を組む順序を考慮して適切な補足図を表示することが望ましい。また、図では両本体３２Ｌ、３２Ｒにそれぞれ図示表示部３７Ｌ、３７Ｒが設けられている構成を示すが、いずれか一方のみであってもよい。また、具体的な図示内容は、救命処置手順の補足となるものである限り、任意のものとすることができる。
【００３０】
図４、５は、本発明救命処置用手袋の実施例構成を概念的に示す説明図であり、前者は手の甲側、後者は手のひら側を示す。本発明救命処置用手袋の本体一対は、利き手側に用いる手袋（利き手側手袋）と他方側に用いる手袋（反利き手側手袋）から構成されるものとすることができる。図４等に示す実施例では、利き手を右手とした場合の例を示している。すなわち、左手側に反利き手側手袋（本体４２Ｌ）を、右手側に利き手側手袋（本体４２Ｒ）を装着し、左手側を傷病者の胸部に当て、利き手である右手側をその上に組んだ状態で、胸部への圧迫を行うことを想定した例である。
【００３１】
図示する本実施例のように本発明救命処置用手袋４１０は、指上表示部４６ａ等に記される各手順は、反利き手側手袋（本体４２Ｌ）の親指から小指方向に向かって順に配置され、必要な場合にはこれに続けて利き手側手袋（本体４２Ｒ）の親指から小指方向に向かって、順に配置された構成とすることができる。傷病者の胸部には、先に反利き手側手袋（本体４２Ｌ）の手、次に利き手側手袋（本体４２Ｒ）の手であるため、このような配置が自然であり、使用者にとってより理解しやすい。なおこれに限定されず、たとえば各本体４２Ｌ、４２Ｒにおいて小指から親指方向へ向かって並べられる配置であっても本発明の範囲内である。
【００３２】
図に例示されている各指上表示部４６ａ等の内容を、手順通りに記す。
指上表示部４６ａ：「１  呼びかけ・反応の確認」
指上表示部４６ｂ：「２  助けを呼ぶ（ＡＥＤと救急車の手配）」
指上表示部４６ｃ：「３  胸・腹を見て呼吸の有無を確認」
指上表示部４６ｄ：「４  あご先を挙げて気道を確保」
本例では併せて、気道確保の仕方の図を図示表示部４７Ｌとして示している。
指上表示部４６ｅ：「５  ひだり手を胸の真ん中に当てる」
なお、手の重ね方は逆であってもよく、要するに使用者がやりやすい方法でよい。
【００３３】
指上表示部４６ｆ：「６  みぎ手で指を汲み重ねる」
なお、逆であってもよく、要するに使用者がやりやすい方法でよい。
指上表示部４６ｇ：「７  真上からまっすぐ、強く・速く・絶え間なく」
本例では併せて、手の付け根で圧迫することを図示表示部４７Ｒによって示している。
指上表示部４６ｈ：「８  １５〜１８秒で３０回、５ｃｍ沈む程度、圧迫」
これは、１分間に１００〜１２０回（５秒に８回以上）とされる圧迫動作をよりわかりやすくしたものである。なお、小児には体の厚さの１／３くらい沈む程度の圧迫がよいとされている。
指上表示部４６ｉ：「９  鼻をつまみ、口対口人工呼吸（約１秒）を２回」
なおこれは、「そのことが可能な場合に行う」旨を書き添えてもよい。
指上表示部４６ｊ：「１０  ８と９を繰り返し行う」
【００３４】
上述の手順表示部（指上表示部）の記載はあくまでも一例であり、本発明がこれに限定されるものではない。また、図示表示部４７Ｌ、４７Ｒと、対応する上記指上表示部４６ｄ、４６ｇとの間に、対応を示す表示を加えてもよい。たとえば、指上表示部４６ｄ―図示表示部４７Ｌとの間をつなぐ線や帯による表示などである。
【００３５】
また、図示するように、手袋の手首部分に基部表示部４８Ｌ、４８Ｒを設けることとしてもよい。実施例では、各本体４２Ｌ、４２Ｒの基部表示部４８Ｌ、４８Ｒとして、「心肺蘇生・救命処置補助手袋『救命グローブ』ひだり（手の甲側）」、「心肺蘇生・救命処置補助手袋『救命グローブ』みぎ（手の甲側）」
みぎ（手のひら側）、ひだり（手のひら側）の表示を設けている。これにより使用者は、本手袋４１０が特別な用途を持った手袋であることを認識でき、また利き手側用か反利き手側用かの識別を容易に行なうことができる。
【００３６】
図５に示す実施例の手のひら側には、圧迫用表示部４４Ｌ、４４Ｒが設けられるが、本例では「胸部圧迫時、傷病者の胸の真ん中にここを当てる」という表示がなされている。同箇所４４Ｌ、４４Ｒを胸部に当てるべき旨が使用者に明確にわかるものである限り、かかる文章を併用した表示に限定されない。また、本例のように文章を用いる場合も、本文例に限定されない。なお図では、手のひら側の基部表示部４９Ｌ、４９Ｒとして、「ひだり（手のひら側）」、「みぎ（手のひら側）」の表示がなされている。
【００３７】
実際の製品・商品としてのサイズ・仕様は、任意に設計できる。たとえばサイズとして、大人用（Ｓ／Ｍ／Ｌ）・小児用を設けること、また右利き用・左利き用を設けること、ディスポーザブル手袋（使い捨て）、力の弱い小児や高齢者用として手のひら側により滑りにくい材料を用いたものや、圧迫力を強化できるように手のひら側により重量のある材料を用いたもの、練習用として薄地軍手型など、開発は自在に可能である。
【００３８】
本発明救命処置用手袋は、その本体の色を特定したものとすることもできる。その場合、特にオレンジ色、青色、または黄色のいずれかを用いるものとすることができる。オレンジ色は消防士の服の色であり、救急を連想させるため、装着した人の意識が高まり、本発明の使用目的上好ましい。また、暗闇や人混みの中でも目立つ色である。そのため、救命処置中に救急車やＡＥＤが現場に到着した際、救急隊員らは誰が傷病者であるかを迅速に判断できる。しかも、周囲に認知されやすいため、協力を得られやすい。
【００３９】
一方、青色には冷静を促す効果があり、手袋使用者が冷静に対応するために有利である。また、青色は肌の色と大きく相違するため、手袋に破れなどが生じた場合に気づきやすいという利点もある。また、黄色は危険を表す色であり、これもオレンジ色と似た効果を得られる。さらに黄色は、黒い文字を記載した場合に視認性が高くて文字が読みやすくなること、血などが付着した場合にもわかりやすいこと、暗い場所でもわかりやすいという利点がある。これらのいずれの色を用いる場合でも、地色としてほぼ単色で用いることがより好ましいと言える。
【００４０】
図６は、本発明救命処置用手袋パッケージの構成を概念的に示す説明図である。図示するように、以上説明したいずれかの救命処置用手袋５１０等が所定の包装具５２０等に包装されてなる救命処置用手袋パッケージ５３０等もまた、本発明の範囲内である。図中、（ａ）は包装具５２０としてビニール袋を用いた救命処置用手袋パッケージ５３０、（ｂ）は包装具６２０としてカプセル（自動販売機での販売を想定）または缶詰（防災グッズや保存食等と一緒に保管されることを想定）を用いた救命処置用手袋パッケージ６３０を示す。いずれの図に示される例とも救命処置用手袋５１０等が一組だけ包装された形態であるが、これに限定されず、二組以上が包装された形態であってもよい。
【００４１】
包装具としては他に、ポケットティッシュ型（ポケットサイズで取り出しやすい）、キーホルダータイプ（持ち歩きやすい）、本棚収納タイプ（文庫サイズ・縦置き）等、さまざまなパッケージ形態をとることができる。また、包装具表面や包装具内に、救命処置法・心肺蘇生法についての説明の表示や取扱い説明書を設けることとしてもよい。また、付属品として、本救命処置用手袋パッケージの所在を示す表示物を設けてもよい。たとえば「ここにあります」と記載されたシールである。これは、車両のダッシュボード、救急箱、靴箱など、本パッケージを保管する箇所に貼ることで、その所在を示すことができる。
【００４２】
図７は、人工呼吸用シートを兼ねる構造の本発明救命処置用手袋パッケージの構成を概念的に示す説明図である。図示するように本救命処置用手袋パッケージ７３０は、その包装具７２０が、開封後に人工呼吸用シート７２８として使用可能な仕様を備えていることを特徴的な構成とする。人工呼吸シート７２８は逆止弁付きの仕様が望ましい。
【００４３】
本救命処置用手袋パッケージ７３０を開き、救命処置用手袋７１０を取出し、包装具７２０を展開すると、包装具７２０の内側には人工呼吸用の給気口７２５が設けられており、そのまま人工呼吸用シート７２８として、救命処置手順の中の人工呼吸に供することができる。
【００４４】
また、包装具７２０には、外側に救命処置用手袋７１０の使用方法説明表示が、内側に人工呼吸用シート７２８の使用方法説明表示が設けられた構成としてもよい。包装具７２０を展開しない段階では救命処置用手袋７１０の使用方法を確認しながら救命処置用手袋７１０を用いることができ、人工呼吸の手順が必要な段階では包装具７２０を展開して、人工呼吸用シート７２８の使用方法を確認しながら同シート７２８を用いることができる。
【００４５】
以上説明したいずれかの救命処置用手袋を使用する方法であって、これを左右の手にはめ、手順表示部に示された心肺蘇生法の手順に従って使用する救命処置用手袋使用方法も、本発明の範囲内である。また、図７により説明した救命処置用手袋パッケージを使用する方法であって、包装具７２０を開封して収容されている救命処置用手袋７１０を取出し、これを左右の手にはめ、手順表示部に示された心肺蘇生法の手順に従って使用し、必要に応じ包装具７２０を人工呼吸用シート７２８として用いる救命処置用手袋パッケージ使用方法もまた、本発明の範囲内である。
【００４６】
図８は、本発明救命処置用手袋の別の実施例構成を概念的に示す説明図である（手の甲側）。上述の通り本救命処置用手袋は、指上表示部における表示を図により補足する図示表示部を備えた構成とすることができるが、この図示表示部には、伝達したいことを単純な図により表現するピクトグラムや、矢印などの記号を適宜に用いることができる。図では、左右の手袋本体８２Ｌ、８２Ｒにそれぞれ、胸部圧迫の方法がピクトグラムにより示された図示表示部８７Ｌ、８７Ｌが設けられている。また手袋本体８２Ｒの当該図示表示部８７Ｒには合わせて矢印記号も用いられている。これらピクトグラムや記号は視認性がよく、これに接した者に対して、伝達内容を感覚的に、直感的に、瞬時に認識させることができる。したがって、緊急事態事態において用いられる本発明救命処置用手袋には大いに有用であり、適切にこれらを用いた構成とすることが望ましい。また図８の例においても、特に強調したい文字・数字等は、赤など緊急性を示す別の色を用いて表わすようにすることもよい。
【００４７】
図８の例における指上表示部８６ａ〜８６ｊには、次のように表示がなされている。
指上表示部８６ａ：「１  周囲の安全確認」
指上表示部８６ｂ：「２  呼びかけ（反応確認）」
指上表示部８６ｃ：「３  １１９番へ通報」
指上表示部８６ｄ：「４  ＡＥＤの依頼」
指上表示部８６ｅ：「５  呼吸の確認」
指上表示部８６ｆ：「６  胸骨圧迫開始」
指上表示部８６ｇ：「７  垂直に強く（約５ｃｍ）」
指上表示部８６ｈ：「８  速く（１分間に１００〜１２０回）」
指上表示部８６ｉ：「９  呼吸が戻るまで続ける」
指上表示部８６ｊ：「１０  可能なら人工呼吸を」
【００４８】
本例では図４で示した例よりも、短く簡潔な言葉で、かつ大きな文字で表示されており、より直感的な理解をしやすい。また、手順内容にも、１１９番通報やＡＥＤ依頼を含むなど、図４の例とは相違する点がある。この手順表示部（指上表示部）の記載もあくまでも一例であり、本発明がこれに限定されるものではない。また、以上述べた実施例は、ひらがな・カタカナ・漢字を主とした日本語表記を用いたものであるが、本発明は用いる言語に限定されない。したがって、英語表記、中国語表記などを自由に用いることができる。
【００４９】
また、図６等により説明した救命処置用手袋パッケージを含め、本発明救命処置用手袋をパッケージに収容した形態とする場合、パッケージ上に、救命処置手順を補助する記載を設ける構成とすることもできる。たとえば、下記のような事項の記載である。
（１）人工呼吸を促す記載として
・「可能なら人工呼吸を」
あご先を上げて気道を確保／・口対口で鼻をつまみ息を吹き込む／１回（約１秒）を２回／胸骨圧迫を３０回、人工呼吸を２回  を交互に
（２）携帯端末による情報取得を促す記載
・＜携帯アプリと連動＞
１００〜１２０／ｍ（分）の速度が視覚的＆音でわかるアプリ
（２）の場合は、あらかじめ所定のアプリケーションソフトをインストールしておくことを推奨したり、情報取得の便宜のためにクイックレスポンス（Ｑｕｉｃｋ  Ｒｅｓｐｏｎｃｅ）コード等を記載しておく構成としてもよい。
【００５０】
さらにまた、本発明の最も根本的な特徴としての「少なくとも一方の本体の手の甲側に設けることとする手順表示部（救命処置手順表示部）」は、必ずしも日本語や英語などによる所定の言語を用いた表記とする必要はない。手順の全てが、ピクトグラムなどの図、記号、数字といった非言語表示、あるいはこれに加えて「ＡＥＤ」、「Ｌ（左の意味）」、「Ｒ（右の意味）」といったごく単純な文字表記の、適宜の組合せによってなされる構成であってもよい。このような非言語表示やごく単純な文字表記は、言語の壁を越えて直感的に理解され得る長所があるため、かかる手順表示部とすることで、本手袋をユニバーサルデザインとすることができる。
【００５１】
図９は、本発明救命処置用手袋付きＡＥＤセットの構成を概念的に示す説明図である。図示するように本救命処置用手袋付きＡＥＤセット９９０は、以上説明したいずれかの救命処置用手袋９１０が自動体外式除細動器（ＡＥＤ）９５０に付属している構成である。上述したようにＡＥＤが用いられると、その電気ショックにより心臓は静止状態となるため、速やかな救命処置が求められる。したがって、ＡＥＤ設置箇所やＡＥＤ使用場面には、導入容易・使用方法容易な救急処置技術としての本発明救命処置用手袋９１０がすぐに使える状態で存在することが、極めて望ましい。
【００５２】
本セット９９０では、ＡＥＤ９５０に救命処置用手袋９１０が付属しているため、かかる要請に即応することができる。これにより、危急の場面に遭遇した場合でも、ＡＥＤ９５０を使用しつつ、日常は行なうことのない、通常は全く慣れていない動作であるところの胸部圧迫等の適切な救命処置を、迷うことなく自信を持って行なうことができる。
【００５３】
本セット９９０において救命処置用手袋９１０がＡＥＤ９５０に付属している具体的な形態は、特に限定されない。ＡＥＤ設置箇所における同時設置、可搬式のＡＥＤにおける同梱など、要するにＡＥＤ９５０のすぐ傍に救命処置用手袋９１０が備えられている状態であればよい。
【００５４】
一部繰り返しになるが、本発明救命処置用手袋やそのパッケージの取扱い等について記す。
＜保管・設置場所＞
防災グッズや救急箱などに常備する。また、家庭、学校、職場、公共施設、商業施設、建築工事現場、その他の工事現場、車両、船舶、その他の移動手段、水難事故の危険性がある屋内外のプール・水浴場・湖沼などに常備するとよい。
【００５５】
＜講習会用の使用＞
救命処置法（心肺蘇生法）を予習する際に、本発明手袋等を用いる。小中学校、高校、イベントなどで心肺蘇生法について講習を行なう際に活用する、あるいは配布する。本発明手袋等を用いれば、使用法がわかりやすい上、より救命への学習意識を高めることができ、かつ記憶に残りやすく、具体性のある、学習効果の高い講習を行なうことができる。ＡＥＤ使用法の講習会における講習、使用も、大いに推奨される。
【００５６】
また、講習後は自宅に持ち帰ることで、救急箱や防災袋、目に触れる場所などに常備することができ、日常的に備えておくことができる。また、自動車教習所での講習として本発明手袋等の使用法講習を設け、配布することとしてもよい。
【産業上の利用可能性】
【００５７】
本発明の救命処置用手袋、その使用方法、救命処置用手袋パッケージ、ならびにその使用方法、および救命処置用手袋付きＡＥＤセットによれば、意識を失った傷病者との遭遇という危急の場面でも適切に使用することのできる、救命処置技術を提供することができる。本発明は手袋およびその使用方法等であり、特別な装置を所有・携帯する必要がなく、導入容易で、使用方法も簡単である。したがって、防災・救急医療産業分野、衣類製造分野、および関連する全分野において、産業上利用性が高い発明である。
【符号の説明】
【００５８】
１Ｌ、１Ｒ、３１Ｌ、３１Ｒ、４１Ｌ、４１Ｒ、８１Ｌ、８１Ｒ…手の甲側
２Ｌ、２Ｒ、３２Ｌ、３２Ｒ、４２Ｌ、４２Ｒ、８２Ｌ、８２Ｒ…手袋本体（本体）
３Ｌ、３Ｒ、３３Ｌ、３３Ｒ、８３Ｌ、８３Ｒ…救命処置手順表示部（手順表示部）
４Ｌ、４Ｒ、４４Ｌ、４４Ｒ…圧迫用表示部
５Ｌ、５Ｒ、４５Ｌ、４５Ｒ…手のひら側
１０、３１０、４１０、５１０、６１０、７１０、８１０、９１０…救命処置用手袋
３６ａ、３６ｂ、３６ｃ、３６ｄ、３６ｅ、３６ｆ、３６ｇ、３６ｈ、３６ｉ、３６ｊ、４６ａ、４６ｂ、４６ｃ、４６ｄ、４６ｅ、４６ｆ、４６ｇ、４６ｈ、４６ｉ、４６ｊ、８６ａ、８６ｂ、８６ｃ、８６ｄ、８６ｅ、８６ｆ、８６ｇ、８６ｈ、８６ｉ、８６ｊ…指上表示部
３７Ｌ、３７Ｒ、４７Ｌ、４７Ｒ、８７Ｌ、８７Ｒ…図示表示部
４８Ｌ、４８Ｒ、４９Ｌ、４９Ｒ、８８Ｌ、８８Ｒ…基部表示部
５２０、６２０、７２０…包装具
５３０、６３０、７３０…救命処置用手袋パッケージ
７２５…給気口
７２８…人工呼吸用シート
９５０…自動体外式除細動器（ＡＥＤ）
９９０…救命処置用手袋付きＡＥＤセット
【図１】
2019080910.tif 000003
【図２】
2019080910.tif 000004
【図３】
2019080910.tif 000005
【図４】
2019080910.tif 000006
【図５】
2019080910.tif 000007
【図６】
2019080910.tif 000008
【図７】
2019080910.tif 000009
【図８】
2019080910.tif 000010
【図９】
2019080910.tif 000011